【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
現像剤を転写したシートを熱定着するための定着ユニットと、
前記定着ユニットの温度を、モノクロ画像を表す現像剤をシートに定着させるための第１の温度及びカラー画像を表す現像剤をシートに定着させるための第２の温度のいずれかに制御する制御手段と、
を有し、
前記制御手段は、画像形成ジョブの先頭ページがモノクロページであっても、その画像形成ジョブにカラーページが含まれる場合は、前記定着ユニットの温度を前記第２の温度に制御し、画像形成ジョブを開始することを特徴とする画像形成装置。
【請求項２】
前記制御手段は、画像形成ジョブにカラーページが含まれない場合は、前記定着ユニットの温度を前記第１の温度に制御し、画像形成ジョブを開始することを特徴とする請求項１記載の画像形成装置。
【請求項３】
前記制御手段は、先行する画像形成ジョブにカラーページが含まれず、カラーページが含まれる後続の画像形成ジョブの先頭ページがモノクロページである場合には、前記定着ユニットの温度を前記第１の温度に制御し、前記後続の画像形成ジョブを開始することを特徴とする請求項１記載の画像形成装置。
【請求項４】
前記制御手段は、前記後続のジョブの最初のカラーページの画像形成の前に、前記定着ユニットの温度を前記第２の温度に制御することを特徴とする請求項３記載の画像形成装置。
【請求項５】
現像剤を転写したシートを熱定着するための定着ユニットと、
前記定着ユニットの温度を、モノクロ画像を表す現像剤をシートに定着させるための第１の温度及びカラー画像を表す現像剤をシートに定着させるための第２の温度のいずれかに制御する制御手段と、
を有し、
前記制御手段は、低消費電力モード時にカラーページが含まれない画像形成ジョブを受けたことに応じて、前記定着ユニットの温度を前記第１の温度に制御し、前記低消費電力モード時にカラーページが含まれる画像形成ジョブを受けたことに応じて、前記定着ユニットの温度を前記第２の温度に制御することを特徴とする画像形成装置。
【請求項６】
前記制御手段は、低消費電力モード時に受け付けた複数の画像形成ジョブの最初の画像形成ジョブにカラーページが含まれないときは、前記定着ユニットの温度を前記第１の温度に制御し、前記低消費電力モード時に受け付けた複数の画像形成ジョブの最初の画像形成ジョブにカラーページが含まれるときは、前記定着ユニットの温度を前記第２の温度に制御することを特徴とする請求項５記載の画像形成装置。
【請求項７】
現像剤を転写したシートを熱定着するための定着ユニットと、
前記定着ユニットの温度を、モノクロ画像を表す現像剤をシートに定着させるための第１の温度及びカラー画像を表す現像剤をシートに定着させるための第２の温度のいずれかに制御する制御手段と、
を有し、
前記制御手段は、画像形成ジョブにカラーページが含まれなくても、その後続の画像形成ジョブにカラーページが含まれている場合は、前記定着ユニットの温度を前記第２の温度に制御することを特徴とする画像形成装置。
【請求項８】
前記制御手段は、低消費電力モード時に受け付けた複数の画像形成ジョブにカラーページが含まれないときは、前記定着ユニットの温度を前記第１の温度に制御し、前記低消費電力モード時に受け付けた複数の画像形成ジョブのいずれかにカラーページが含まれているときは、前記定着ユニットの温度を前記第１の温度に制御することを特徴とする請求項７記載の画像形成装置。
【請求項９】
電子写真方式によるトナー像を転写した転写シートを熱定着するための定着ユニットを有し、前記定着ユニットが第１の温度でプリント可能な第１の印刷モード又は前記第１の温度より高い第２の温度でプリント可能な第２の印刷モードを選択して印刷処理可能な画像形成装置において、
所定時間プリント処理が行われない場合、前記定着ユニットの通電を遮断して低電力モードに移行させる低消費電力制御手段と、
前記低電力モードから復帰する時、最初に処理されるジョブの印刷モードに基づいて、プリントを開始する前記定着ユニットの温度を決定する制御手段と、
を有することを特徴とする画像形成装置。
【請求項１０】
電子写真方式により転写シートに作像したトナー像を熱定着する定着手段が第１の定着温度で画像形成開始可能な第１の画像形成モード又は前記定着手段が前記第１の定着温度より高温の第２の定着温度で画像形成開始可能な第２の画像形成モードを選択して画像形成開始可能な画像形成装置において、
前記第１の画像形成モードによるプリント動作と前記第２の画像形成モードによるプリント動作を連続して処理する時、前記定着手段が前記第１の定着温度に到達した後に前記第２の定着温度に到達したか否かに基づいて画像形成動作を中断する制御手段を有することを特徴とする画像形成装置。
【請求項１１】
前記定着手段の温度を検出する検出手段と、
前記定着手段の温度が、前記第１の定着温度に到達した後に前記第２の定着温度に到達したか否かを記憶する記憶手段と、
前記記憶手段の記憶内容を解除する解除手段と、
を設けたことを特徴とする請求項１０記載の画像形成装置。
【請求項１２】
前記第１の画像形成モードによるプリント動作はＦＡＸ文書のプリントジョブのプリント動作であり、
前記第２の画像形成モードによるプリント動作は、コピーもしくはネットワークプリントジョブのプリント動作であることを特徴とする請求項１０又は１１記載の画像形成装置。
【請求項１３】
前記第１の画像形成モードによるプリント動作は、モノクロプリントジョブのプリント動作であり、
前記第２の画像形成モードによるプリント動作は、カラープリントジョブのプリント動作であることを特徴とする請求項９〜１１のいずれかに記載の画像形成装置。
【請求項１４】
電子写真方式によるトナー像を転写した転写シートを熱定着するための定着ユニットを有し、前記定着ユニットが第１の温度でプリント可能な第１の印刷モード又は前記第１の温度より高い第２の温度でプリント可能な第２の印刷モードを選択して印刷処理可能な画像形成装置において、
プリントジョブを複数キューイング可能な記憶手段と、
所定時間プリント処理が行われない場合、前記定着ユニットの通電を遮断して低電力モードに移行させる低消費電力制御手段と、
前記低電力モードから復帰する時、前記記憶手段にキューイングされているプリントジョブのうち、最初に処理されるジョブの印刷モードに基づいて、プリントを開始する前記定着ユニットの温度を決定する制御手段とを有し、
前記制御手段は、最初に処理されるジョブが第１の印刷モードと第２の印刷モードが混在したジョブである場合、前記最初に処理されるジョブのプリントを開始する前記定着ユニットの温度を前記第２の温度に決定することを特徴とする画像形成装置。
【請求項１５】
電子写真方式によるトナー像を転写した転写シートを熱定着するための定着ユニットを有し、前記定着ユニットが第１の温度となったときにプリント開始可能な第１の印刷モード又は前記第１の温度より高い第２の温度となったときにプリント開始可能な第２の印刷モードを選択して印刷処理可能な画像形成装置において、
プリントジョブを複数キューイング可能な記憶手段と、
所定時間プリント処理が行われない場合、前記定着ユニットの通電を遮断して低電力モードに移行させる低消費電力制御手段と、
前記低電力モードから復帰する時、前記記憶手段にキューイングされているジョブのうち、最初に処理される複数のジョブの条件に基づいて、先頭のジョブのプリントを開始する前記定着ユニットの温度を決定する制御手段と、
を有することを特徴とする画像形成装置。
【請求項１６】
前記ジョブの条件は、ジョブの印刷モード，ジョブのオーナ情報を含むことを特徴とする請求項１５記載の画像形成装置。
【請求項１７】
前記制御手段は、前記低電力モードから復帰する時、前記記憶手段にキューイングされているジョブのうち、最初に処理される複数のジョブが、同じユーザからのジョブであって、かつ第１の印刷モードのジョブ，第２の印刷モードのジョブの順に連続的にキューイングされているキューイング状態では、先頭のジョブのプリントを開始する前記定着ユニットの温度を前記第２の温度に決定し、前記キューイング状態以外のキューイング状態では、先頭のジョブのプリントを開始する前記定着ユニットの温度を、前記先頭のジョブの印刷モードに応じた温度に決定することを特徴とする請求項１５又は１６記載の画像形成装置。
【請求項１８】
前記プリントジョブは、所定の通信媒体を介して情報処理装置から入力されたプリントジョブであることを特徴とする請求項１４〜１７のいずれかに記載の画像形成装置。
【請求項１９】
前記第１の印刷モードは、モノクロ印刷モードであり、
前記第２の印刷モードは、カラー印刷モードであることを特徴とする請求項１４〜１８のいずれかに記載の画像形成装置。
【請求項２０】
電子写真方式によるトナー像を転写した転写シートを熱定着するための定着ユニットを有し、前記定着ユニットが第１の温度でプリント可能な第１の印刷モード又は前記第１の温度より高い第２の温度でプリント可能な第２の印刷モードを選択して印刷処理可能な画像形成装置の制御方法において、
所定時間プリント処理が行われない場合前記定着ユニットの通電を遮断する低電力モードから復帰する時、最初に処理されるジョブの印刷モードに基づいて、プリントを開始する前記定着ユニットの温度を決定する決定工程を有することを特徴とする画像形成装置の制御方法。
【請求項２１】
電子写真方式により転写シートに作像したトナー像を熱定着する定着手段が第１の定着温度で画像形成開始可能な第１の画像形成モード又は前記定着手段が前記第１の定着温度より高温の第２の定着温度で画像形成開始可能な第２の画像形成モードを選択して画像形成開始可能な画像形成装置の制御方法において、
前記第１の画像形成モードによるプリント動作と前記第２の画像形成モードによるプリント動作を連続して処理する時、前記定着手段が前記第１の定着温度に到達した後に前記第２の定着温度に到達したか否かに基づいて画像形成動作を中断する中断工程を有することを特徴とする画像形成装置の制御方法。
【請求項２２】
電子写真方式によるトナー像を転写した転写シートを熱定着するための定着ユニットを有し、前記定着ユニットが第１の温度でプリント可能な第１の印刷モード又は前記第１の温度より高い第２の温度でプリント可能な第２の印刷モードを選択して印刷処理可能な画像形成装置の制御方法において、
所定時間プリント処理が行われない場合前記定着ユニットの通電を遮断する低電力モードから復帰する時、メモリに複数キューイングされているプリントジョブのうち、最初に処理されるジョブの印刷モードに基づいて、プリントを開始する前記定着ユニットの温度を決定する決定工程を有し、
前記決定工程は、最初に処理されるジョブが第１の印刷モードと第２の印刷モードが混在したジョブである場合、前記最初に処理されるジョブのプリントを開始する前記定着ユニットの温度を前記第２の温度に決定することを特徴とする画像形成装置の制御方法。
【請求項２３】
電子写真方式によるトナー像を転写した転写シートを熱定着するための定着ユニットを有し、前記定着ユニットが第１の温度でプリント可能な第１の印刷モード又は前記第１の温度より高い第２の温度でプリント可能な第２の印刷モードを選択して印刷処理可能な画像形成装置の制御方法において、
所定時間プリント処理が行われない場合前記定着ユニットの通電を遮断する低電力モードから復帰する時、メモリに複数キューイングされているジョブのうち、最初に処理される複数のジョブの条件に基づいて、先頭のジョブのプリントを開始する前記定着ユニットの温度を決定する決定工程を有することを特徴とする画像形成装置の制御方法。
【請求項２４】
請求項２０〜２３のいずれかに記載された画像形成装置の制御方法を実行するためのプログラム。
【請求項２５】
請求項２０〜２３のいずれかに記載された画像形成装置の制御方法を実行するためのプログラムをコンピュータが読み取り可能に記憶した記憶媒体。
【手続補正２】
【補正対象書類名】明細書
【補正対象項目名】０００９
【補正方法】変更
【補正の内容】
【０００９】
【課題を解決するための手段】
本発明に係る第１の発明は、現像剤を転写したシートを熱定着するための定着ユニットと、前記定着ユニットの温度を、モノクロ画像を表す現像剤をシートに定着させるための第１の温度及びカラー画像を表す現像剤をシートに定着させるための第２の温度のいずれかに制御する制御手段とを有し、前記制御手段は、画像形成ジョブの先頭ページがモノクロページであっても、その画像形成ジョブにカラーページが含まれる場合は、前記定着ユニットの温度を前記第２の温度に制御し、画像形成ジョブを開始することを特徴とすることを特徴とする。
【手続補正３】
【補正対象書類名】明細書
【補正対象項目名】００１０
【補正方法】変更
【補正の内容】
【００１０】
本発明に係る第２の発明は、前記制御手段は、画像形成ジョブにカラーページが含まれない場合は、前記定着ユニットの温度を前記第１の温度に制御し、画像形成ジョブを開始することを特徴とすることを特徴とする。
【手続補正４】
【補正対象書類名】明細書
【補正対象項目名】００１１
【補正方法】変更
【補正の内容】
【００１１】
本発明に係る第３の発明は、前記制御手段は、先行する画像形成ジョブにカラーページが含まれず、カラーページが含まれる後続の画像形成ジョブの先頭ページがモノクロページである場合には、前記定着ユニットの温度を前記第１の温度に制御し、前記後続の画像形成ジョブを開始することを特徴とすることを特徴とする。
【手続補正５】
【補正対象書類名】明細書
【補正対象項目名】００１２
【補正方法】変更
【補正の内容】
【００１２】
本発明に係る第４の発明は、前記制御手段は、前記後続のジョブの最初のカラーページの画像形成の前に、前記定着ユニットの温度を前記第２の温度に制御することを特徴とする。
【手続補正６】
【補正対象書類名】明細書
【補正対象項目名】００１３
【補正方法】変更
【補正の内容】
【００１３】
本発明に係る第５の発明は、現像剤を転写したシートを熱定着するための定着ユニットと、前記定着ユニットの温度を、モノクロ画像を表す現像剤をシートに定着させるための第１の温度及びカラー画像を表す現像剤をシートに定着させるための第２の温度のいずれかに制御する制御手段とを有し、前記制御手段は、低消費電力モード時にカラーページが含まれない画像形成ジョブを受けたことに応じて、前記定着ユニットの温度を前記第１の温度に制御し、前記低消費電力モード時にカラーページが含まれる画像形成ジョブを受けたことに応じて、前記定着ユニットの温度を前記第２の温度に制御することを特徴とする。
【手続補正７】
【補正対象書類名】明細書
【補正対象項目名】００１４
【補正方法】変更
【補正の内容】
【００１４】
本発明に係る第６の発明は、前記制御手段は、低消費電力モード時に受け付けた複数の画像形成ジョブの最初の画像形成ジョブにカラーページが含まれないときは、前記定着ユニットの温度を前記第１の温度に制御し、前記低消費電力モード時に受け付けた複数の画像形成ジョブの最初の画像形成ジョブにカラーページが含まれるときは、前記定着ユニットの温度を前記第２の温度に制御することを特徴とする。
【手続補正８】
【補正対象書類名】明細書
【補正対象項目名】００１５
【補正方法】変更
【補正の内容】
【００１５】
本発明に係る第７の発明は、現像剤を転写したシートを熱定着するための定着ユニットと、前記定着ユニットの温度を、モノクロ画像を表す現像剤をシートに定着させるための第１の温度及びカラー画像を表す現像剤をシートに定着させるための第２の温度のいずれかに制御する制御手段とを有し、前記制御手段は、画像形成ジョブにカラーページが含まれなくても、その後続の画像形成ジョブにカラーページが含まれている場合は、前記定着ユニットの温度を前記第２の温度に制御することを特徴とする。
【手続補正９】
【補正対象書類名】明細書
【補正対象項目名】００１６
【補正方法】変更
【補正の内容】
【００１６】
本発明に係る第８の発明は、前記制御手段は、低消費電力モード時に受け付けた複数の画像形成ジョブにカラーページが含まれないときは、前記定着ユニットの温度を前記第１の温度に制御し、前記低消費電力モード時に受け付けた複数の画像形成ジョブのいずれかにカラーページが含まれているときは、前記定着ユニットの温度を前記第１の温度に制御することを特徴とする。
【手続補正１０】
【補正対象書類名】明細書
【補正対象項目名】００１７
【補正方法】変更
【補正の内容】
【００１７】
本発明に係る第９の発明は、電子写真方式によるトナー像を転写した転写シートを熱定着するための定着ユニットを有し、前記定着ユニットが第１の温度でプリント可能な第１の印刷モード又は前記第１の温度より高い第２の温度でプリント可能な第２の印刷モードを選択して印刷処理可能な画像形成装置において、所定時間プリント処理が行われない場合、前記定着ユニットの通電を遮断して低電力モードに移行させる低消費電力制御手段と、前記低電力モードから復帰する時、最初に処理されるジョブの印刷モードに基づいて、プリントを開始する前記定着ユニットの温度を決定する制御手段と、を有することを特徴とする。
【手続補正１１】
【補正対象書類名】明細書
【補正対象項目名】００１８
【補正方法】変更
【補正の内容】
【００１８】
本発明に係る第１０の発明は、電子写真方式により転写シートに作像したトナー像を熱定着する定着手段が第１の定着温度で画像形成開始可能な第１の画像形成モード又は前記定着手段が前記第１の定着温度より高温の第２の定着温度で画像形成開始可能な第２の画像形成モードを選択して画像形成開始可能な画像形成装置において、前記第１の画像形成モードによるプリント動作と前記第２の画像形成モードによるプリント動作を連続して処理する時、前記定着手段が前記第１の定着温度に到達した後に前記第２の定着温度に到達したか否かに基づいて画像形成動作を中断する制御手段を有することを特徴とする。
【手続補正１２】
【補正対象書類名】明細書
【補正対象項目名】００１９
【補正方法】変更
【補正の内容】
【００１９】
本発明に係る第１１の発明は、前記定着手段の温度を検出する検出手段と、前記定着手段の温度が、前記第１の定着温度に到達した後に前記第２の定着温度に到達したか否かを記憶する記憶手段と、前記記憶手段の記憶内容を解除する解除手段とを設けたことを特徴とする。
【手続補正１３】
【補正対象書類名】明細書
【補正対象項目名】００２０
【補正方法】変更
【補正の内容】
【００２０】
本発明に係る第１２の発明は、前記第１の画像形成モードによるプリント動作はＦＡＸ文書のプリントジョブのプリント動作であり、前記第２の画像形成モードによるプリント動作は、コピーもしくはネットワークプリントジョブのプリント動作であることを特徴とする。
【手続補正１４】
【補正対象書類名】明細書
【補正対象項目名】００２１
【補正方法】変更
【補正の内容】
【００２１】
本発明に係る第１３の発明は、前記第１の画像形成モードによるプリント動作は、モノクロプリントジョブのプリント動作であり、前記第２の画像形成モードによるプリント動作は、カラープリントジョブのプリント動作であることを特徴とする。
【手続補正１５】
【補正対象書類名】明細書
【補正対象項目名】００２２
【補正方法】変更
【補正の内容】
【００２２】
本発明に係る第１４の発明は、電子写真方式によるトナー像を転写した転写シートを熱定着するための定着ユニットを有し、前記定着ユニットが第１の温度でプリント可能な第１の印刷モード又は前記第１の温度より高い第２の温度でプリント可能な第２の印刷モードを選択して印刷処理可能な画像形成装置において、プリントジョブを複数キューイング可能な記憶手段と、所定時間プリント処理が行われない場合、前記定着ユニットの通電を遮断して低電力モードに移行させる低消費電力制御手段と、前記低電力モードから復帰する時、前記記憶手段にキューイングされているプリントジョブのうち、最初に処理されるジョブの印刷モードに基づいて、プリントを開始する前記定着ユニットの温度を決定する制御手段とを有し、前記制御手段は、最初に処理されるジョブが第１の印刷モードと第２の印刷モードが混在したジョブである場合、前記最初に処理されるジョブのプリントを開始する前記定着ユニットの温度を前記第２の温度に決定することを特徴とする。
【手続補正１６】
【補正対象書類名】明細書
【補正対象項目名】００２３
【補正方法】変更
【補正の内容】
【００２３】
本発明に係る第１５の発明は、電子写真方式によるトナー像を転写した転写シートを熱定着するための定着ユニットを有し、前記定着ユニットが第１の温度となったときにプリント開始可能な第１の印刷モード又は前記第１の温度より高い第２の温度となったときにプリント開始可能な第２の印刷モードを選択して印刷処理可能な画像形成装置において、プリントジョブを複数キューイング可能な記憶手段と、所定時間プリント処理が行われない場合、前記定着ユニットの通電を遮断して低電力モードに移行させる低消費電力制御手段と、前記低電力モードから復帰する時、前記記憶手段にキューイングされているジョブのうち、最初に処理される複数のジョブの条件に基づいて、先頭のジョブのプリントを開始する前記定着ユニットの温度を決定する制御手段とを有することを特徴とする。
【手続補正１７】
【補正対象書類名】明細書
【補正対象項目名】００２４
【補正方法】変更
【補正の内容】
【００２４】
本発明に係る第１６の発明は、前記ジョブの条件は、ジョブの印刷モード，ジョブのオーナ情報を含むことを特徴とする。
【手続補正１８】
【補正対象書類名】明細書
【補正対象項目名】００２５
【補正方法】変更
【補正の内容】
【００２５】
本発明に係る第１７の発明は、前記制御手段は、前記低電力モードから復帰する時、前記記憶手段にキューイングされているジョブのうち、最初に処理される複数のジョブが、同じユーザからのジョブであって、かつ第１の印刷モードのジョブ，第２の印刷モードのジョブの順に連続的にキューイングされているキューイング状態では、先頭のジョブのプリントを開始する前記定着ユニットの温度を前記第２の温度に決定し、前記キューイング状態以外のキューイング状態では、先頭のジョブのプリントを開始する前記定着ユニットの温度を、前記先頭のジョブの印刷モードに応じた温度に決定することを特徴とする。
本発明に係る第１８の発明は、前記プリントジョブは、所定の通信媒体を介して情報処理装置から入力されたプリントジョブであることを特徴とする。
本発明に係る第１９の発明は、前記第１の印刷モードは、モノクロ印刷モードであり、前記第２の印刷モードは、カラー印刷モードであることを特徴とする。
本発明に係る第２０の発明は、電子写真方式によるトナー像を転写した転写シートを熱定着するための定着ユニットを有し、前記定着ユニットが第１の温度でプリント可能な第１の印刷モード又は前記第１の温度より高い第２の温度でプリント可能な第２の印刷モードを選択して印刷処理可能な画像形成装置の制御方法において、所定時間プリント処理が行われない場合前記定着ユニットの通電を遮断する低電力モードから復帰する時、最初に処理されるジョブの印刷モードに基づいて、プリントを開始する前記定着ユニットの温度を決定する決定工程を有することを特徴とする。
本発明に係る第２１の発明は、電子写真方式により転写シートに作像したトナー像を熱定着する定着手段が第１の定着温度で画像形成開始可能な第１の画像形成モード又は前記定着手段が前記第１の定着温度より高温の第２の定着温度で画像形成開始可能な第２の画像形成モードを選択して画像形成開始可能な画像形成装置の制御方法において、前記第１の画像形成モードによるプリント動作と前記第２の画像形成モードによるプリント動作を連続して処理する時、前記定着手段が前記第１の定着温度に到達した後に前記第２の定着温度に到達したか否かに基づいて画像形成動作を中断する中断工程を有することを特徴とする。
本発明に係る第２２の発明は、電子写真方式によるトナー像を転写した転写シートを熱定着するための定着ユニットを有し、前記定着ユニットが第１の温度でプリント可能な第１の印刷モード又は前記第１の温度より高い第２の温度でプリント可能な第２の印刷モードを選択して印刷処理可能な画像形成装置の制御方法において、所定時間プリント処理が行われない場合前記定着ユニットの通電を遮断する低電力モードから復帰する時、メモリに複数キューイングされているプリントジョブのうち、最初に処理されるジョブの印刷モードに基づいて、プリントを開始する前記定着ユニットの温度を決定する決定工程を有し、前記決定工程は、最初に処理されるジョブが第１の印刷モードと第２の印刷モードが混在したジョブである場合、前記最初に処理されるジョブのプリントを開始する前記定着ユニットの温度を前記第２の温度に決定することを特徴とする。
本発明に係る第２３の発明は、電子写真方式によるトナー像を転写した転写シートを熱定着するための定着ユニットを有し、前記定着ユニットが第１の温度でプリント可能な第１の印刷モード又は前記第１の温度より高い第２の温度でプリント可能な第２の印刷モードを選択して印刷処理可能な画像形成装置の制御方法において、所定時間プリント処理が行われない場合前記定着ユニットの通電を遮断する低電力モードから復帰する時、メモリに複数キューイングされているジョブのうち、最初に処理される複数のジョブの条件に基づいて、先頭のジョブのプリントを開始する前記定着ユニットの温度を決定する決定工程を有することを特徴とする。
本発明に係る第２４の発明は、第２０〜第２３の発明のいずれかに記載された画像形成装置の制御方法を実行するためのプログラムであることを特徴とする。
本発明に係る第２５の発明は、第２０〜第２３の発明のいずれかに記載された画像形成装置の制御方法を実行するためのプログラムをコンピュータが読み取り可能に記憶媒体に記憶したことを特徴とする。
【手続補正１９】
【補正対象書類名】明細書
【補正対象項目名】０１５４
【補正方法】変更
【補正の内容】
【０１５４】
【発明の効果】
以上説明したように、本発明によれば、画像形成ジョブの先頭ページがモノクロページであっても、その画像形成ジョブにカラーページが含まれる場合は、定着ユニットの温度を第２の温度に制御し、画像形成ジョブを開始するので、定着ユニットを画像の種類に応じた所定温度にするために要するトータル時間が短くなり、結果として画像形成ジョブの終了までに要する時間も短くなる。
また、本発明によれば、所定時間プリント処理が行われない場合前記定着ユニットの通電を遮断する低電力モードから復帰する時、最初に処理されるジョブの印刷モードに基づいて、プリントを開始する前記定着ユニットの温度を決定（変更）するものであり、低電力モード等から復帰後の最初のジョブが処理されるために要する時間を短縮することができる。特に、プリントジョブが入力される頻度が低く頻繁に低電力モードに移行してしまい、頻繁に低電力モードから復帰するような画像形成環境において有効である。また、プリントジョブが入力される頻度が低く頻繁に低電力モードに移行してしまい、低消費電力モードから頻繁にＦＡＸ印刷のために復帰するような画像形成環境においても有効である。
【手続補正２０】
【補正対象書類名】明細書
【補正対象項目名】０１５５
【補正方法】変更
【補正の内容】
【０１５５】
従って、使用頻度が比較的低く、低電力モードからの解除が頻繁に行われる様な使用状況で、なおかつ比較的モノクロジョブが多く処理される画像形成環境において、プリント処理が完了するまでの待ち時間を大幅に短縮することができる等の効果を奏する。
また、本発明によれば、画像形成ジョブにカラーページが含まれなくても、その後続の画像形成ジョブにカラーページが含まれている場合は、定着ユニットの温度を第２の温度に制御するので、定着ユニットを画像の種類に応じた所定温度にするために要するトータル時間が短くなり、結果として画像形成ジョブの終了までに要する時間も短くなる。